(57)【要約】      （修正有）【課題】光点の形状を変更することが可能なレーザーポインターを提供する。【解決手段】光点の形状を変更することが可能なレーザーポインターであって、内部にレーザービームを射出するためのレーザー発光器２が設けられるハウジングと、シリンドリカルレンズ４に接続される回転部材３において、このシリンドリカルレンズ４がレーザービームの経路上に延在し、レーザービームにより通過でき、それにより、投射光点５１を形成する回転部材３とを備える。回転部材３を回転させ、シリンドリカルレンズ４を駆動して、そのレーザービームとの間の角度を変更させることができ、それにより、投射光点５１の連続的な形状変化を生じさせる。【選択図】図２
0003228594.tif 000002
【実用新案登録請求の範囲】
【請求項１】
光点の形状を変更することが可能なレーザーポインターであって、ハウジングと回転部材とを備え、
該ハウジングの内部に、レーザービームを射出するためのレーザー発光器が設けられ、
該回転部材は、シリンドリカルレンズに接続され、該シリンドリカルレンズが該レーザービームの経路上に延在し、且つ該レーザービームにより通過でき、投射光点を形成し、該回転部材が回転することで、該シリンドリカルレンズを駆動させ、該シリンドリカルレンズと該レーザービームとの間の角度を変更させ、該投射光点の連続的な形状変化を生じさせるレーザーポインター。
【請求項２】
該回転部材が回転軸芯を有し、該シリンドリカルレンズが該回転軸芯から半径方向に延びている請求項１に記載の光点の形状を変更することが可能なレーザーポインター。
【請求項３】
該回転部材がＬ形状に形成され、且つ第１端及び第２端を有し、該第１端がピボットで該レーザー発光器に軸支され、該第２端が該シリンドリカルレンズに接続され、該第２端を回すと、該回転部材を回転させ、該シリンドリカルレンズを駆動して、該シリンドリカルレンズと該レーザービームとの間の角度を変更させる、請求項１に記載の光点の形状を変更することが可能なレーザーポインター。
【考案の詳細な説明】
【技術分野】
【０００１】
この作成は光投影装置に関し、特にレーザーポインターに関する。
【背景技術】
【０００２】
レーザー光は直進する平行光であり、スクリーンに投射されると、明確な光点を形成し、指示の目的に非常に適しており、会議でブリーフィングを行うときによく使用されている。通常に、レーザー光の照射により形成された光点は、処理しないとドット状になってしまうが、単調すぎて実使用のニーズに応えられない欠点がある。
【０００３】
台湾の考案特許公報４０５７８１号及びＭ３３３５７２号はそれぞれレーザーポインターを開示し、両者の構造にも、レーザー光が射出される先端にプレートが設けられ、該プレートには、星形、四角形又は三角形などの様々な形状の複数の貫通孔が設けられており、レーザー発光器を回転させることにより、その特殊形状の貫通孔の１つにレーザー光を位置合わせるか、又は、該プレートを回転させることにより、その特殊形状の貫通孔の１つをレーザー発光器に位置合わせ、それにより、レーザー光が該特殊形状の貫通孔を通過した後、該特殊形状の投射光点を形成することができる。
しかしながら、上記２つの従来の装置は、光点をある形状から別の形状へと変更させ、前後の２つの形状の間には相関関係がなく、実際の使用要件を満たすことは困難である。
【考案の概要】
【０００４】
この作成の主な目的は、光点の形状を変更することが可能なレーザーポインターを提供することである。その光点は、調整により連続的な形状変化を示し、それにより、使用要件に応じていつでも調整することができ、使用上の利便性を向上させた。
【０００５】
前述の目的を達成するために、本考案は光点の形状を変更することが可能なレーザーポインターを提供し、
内部にレーザービームを射出するためのレーザー発光器が設けられるハウジングと、
シリンドリカルレンズに接続される回転部材において、該シリンドリカルレンズが該レーザービームの経路上に延在し、該レーザービームにより通過でき、それにより、投射光点を形成する回転部材とを備え、該回転部材を回転させ、該シリンドリカルレンズを駆動して、その該レーザービームとの間の角度を変更させることができ、それにより、該投射光点の連続的な形状変化を生じさせる。
【０００６】
一実施例では、該回転部材は回転軸芯を有し、該シリンドリカルレンズが該回転軸芯から半径方向に延びる。
【０００７】
一実施例では、該回転部材はＬ字形に形成して、第１端及び第２端を有し、該第１端がピボットで該レーザー発光器に軸支され、第２端が該シリンドリカルレンズに接続され、該第２端を回すと、該回転部材を回転させることができ、該シリンドリカルレンズを駆動して、そのレーザービームとの角度を変更できる。
【図面の簡単な説明】
【０００８】
【図１】本考案の第１実施例の立体概略図である。
【図２】本考案の第１実施例の使用状態概略図である。
【図３】本考案の第１実施例の使用状態概略図である。
【図４】本考案の第１実施例の使用状態概略図である。
【図５】本考案の第２実施例の立体概略図である。
【図６】本考案の第２実施例の使用状態概略図である。
【図７】本考案の第２実施例の使用状態概略図である。
【図８】本考案の第２実施例の使用状態概略図である。
【考案を実施するための形態】
【０００９】
図１を参照すると、本考案により提供された光点の形状を変更することが可能なレーザーポインターの第１実施例を示し、内部にレーザービームを射出することが可能な発光器２が設けられたハウジング１を備え、該発光器２が発光口２１からレーザービームを前方に射出する。
【００１０】
ところで、該発光器２の隣には、ベース１１に軸支される回転部材３が設けられ、該回転部材３が該発光口２１の上方から延びる回転軸芯３１を有し、該回転軸芯３１にシリンドリカルレンズ４が接続される。上述の該シリンドリカルレンズ４は該回転軸芯３１から半径方向に延在して、該レーザービームの経路に配置される。それにより、レーザービームは該シリンドリカルレンズ４を通過して、スクリーン上に投射して光点を形成する。
【００１１】
該回転部材３を回して、該シリンドリカルレンズ４を回転駆動することにより、該シリンドリカルレンズ４とレーザービームとの間の角度を変更させ、形成された光点の形状を調整する。図２に示すように、該回転部材３を回転させて該シリンドリカルレンズ４をレーザービームに直交させると、レーザービームが該シリンドリカルレンズ４を通過して屈折により直線を投射し、このとき、直線形状の光点５１を形成する。該回転部材３を回転させて該シリンドリカルレンズ４に非垂直な角度でレーザービームを透過させると、図３に示すように、レーザービームが屈折及び反射されて湾曲した円弧状の光点５２を形成する。
【００１２】
さらに、該回転部材３の回転に伴い、該シリンドリカルレンズ４とレーザービームとの間の角度も変化するため、レーザービームの光点形状を連続的に変化させることができ、即ち図２の直線形状から図３の湾曲した円弧状に徐々に変化し、そして図４の円形光点５３に徐々に変化し続ける。該回転部材を反転させると、光点の形状は図４の円形状から図２の直線形状に徐々に変化する。
【００１３】
上記構造により、本考案のレーザーポインターは、投射光点の形状を連続的に徐々に変更させることができ、ユーザーは実際の使用要件に合わせて光点の形状を調整することができ、会議でブリーフィングを行うときに非常に便利である。
【００１４】
図５は本考案の第２実施例を示す。本実施例の構造は前記第１実施例の構造に基づいて、該回転部材の構造を変更した。本実施例では、該回転部材６はＬ字形に形成して第１端６１及び第２端６２を有し、該第１端６１がピボット６３で該発光器２に軸支され、該第２端６２が該シリンドリカルレンズ４に接続され、該シリンドリカルレンズ４がレーザービームの経路上に延在する。この構造によれば、該第２端６２を回すと、該回転部材６を該発光器２に対して回転させ、該シリンドリカルレンズ４を駆動してその該レーザービームとの間の角度を変更させ、図６から図８に示すように、光点の形状を連続的に変更させる。
【符号の説明】
【００１５】
ハウジング１        ベース１１
発光器２        発光口２１
回転部材３        回転軸芯３１
シリンドリカルレンズ４        光点５１、５２、５３
回転部材６        第１端６１
第２端６２        ピボット６３
【図１】
0003228594.tif 000003
【図２】
0003228594.tif 000004
【図３】
0003228594.tif 000005
【図４】
0003228594.tif 000006
【図５】
0003228594.tif 000007
【図６】
0003228594.tif 000008
【図７】
0003228594.tif 000009
【図８】
0003228594.tif 000010